(57)【要約】  電気器具用の防水ケースの、ケーブル３の引き出し部をシールする。ケーブル３の外周部上には、射出成形により第１のブッシュ部材２ａと第２のブッシュ部材２ｂとを、互いに隔離して形成する。第１のブッシュ部材２ａと第２のブッシュ部材２ｂとの間に防水ケースのボックス部３５を配置する。防水ケースにケーブル３を配置した後、ボックス部３５の内側には、エポキシ樹脂やウレタン樹脂の充填材４０が充填される。
2007116791.tif 000002
【特許請求の範囲】
【請求項１】
機能部材を収納するための第１の内部空間と、該第１の内部空間に隣接する第２の内部空間と、該第２の内部空間と前記第１の内部空間とを連絡する第１の開口と、前記第２の内部空間と外部空間とを連絡する第２の開口と、を有するケース本体と、
前記第１及び第２の開口を経て前記第１の内部空間から外部空間へ挿通されて配置されるケーブル
を備え、
前記ケーブルの外周部上には、第１のブッシュ部材と第２のブッシュ部材とがケーブル露出部を挟んで互いに離隔して配置され、それぞれ前記ケーブルの外周部と隙間無く一体に形成されており、前記第１及び第２のブッシュ部材は前記第２の内部空間内にそれぞれ前記第１及び第２の開口を塞ぐように配置され、前記ケーブル露出部において前記ケーブルの外周部は第２の内部空間に露出され、前記第２の内部空間が充填材で充填されている、ことを特徴とする電気器具用防水ケース。
【請求項２】
前記第１及び第２のブッシュ部材は、それぞれフランジ部を有することを特徴とする請求項１に記載の電気器具用防水ケース。
【請求項３】
前記フランジ部は平角形であることを特徴とする請求項１に記載の電気器具用防水ケース。
【請求項４】
前記第２のブッシュ部材は、前記ケーブルを覆って前記第２の開口から前記外部空間へ延長するブーツ部を有することを特徴とする請求項１に記載の電気器具用防水ケース。
【請求項５】
前記ケース本体は下ケース体と上ケース体とを含む一対のケース体から構成され、
当該一対のケース体は組み立てられた状態で接合部分が溶着されることにより一体化されることを特徴とする請求項１に記載の電気器具用防水ケース。
【請求項６】
前記第２の内部空間は上面又は下面の一方が開放された状態で前記一対のケース体の一方に形成され、前記一対のケース体の他方には前記第２の内部空間の開放された面を塞ぐ閉塞部が設けられていることを特徴とする請求項５に記載の電気器具用防水ケース。
【請求項７】
前記一対のケース体の一方は下ケース体であることを特徴とする請求項６に記載の電気器具用防水ケース。
【請求項８】
前記閉塞部は、前記第２の内部空間内に進入して前記第２の内部空間の有効容積を低減させる凸部を備えていることを特徴とする請求項６に記載の電気器具用防水ケース。
【請求項９】
前記凸部は、前記ケーブルと干渉して、前記ケーブルの回転を抑制することを特徴とする請求項８に記載の電気器具用防水ケース。
【請求項１０】
前記凸部は、前記ケーブルを押し込むことによって、前記ケーブルの回転を抑制することを特徴とする請求項９に記載の電気器具用防水ケース。
【請求項１１】
上下ケース体のうちの一方のケース体の接合部の内側に、前記一方のケース体の側壁部内側面と僅かな間隙をおいて対向するダム用リブ部を、他方のケース体の接合方向に突設するとともに、
他方のケース体側に前記ケース体側壁部内側面とダム用リブ部との間の嵌合隙間に嵌合する嵌合片を設け、
前記嵌合隙間にシール材を充填した状態で嵌合片を嵌合させることにより、この部分を封止したことを特徴とする請求項５に記載の電気器具用防水ケース。
【請求項１２】
更に前記ケース本体の側壁を貫通して前記ケース本体と一体に配置された一対の栓刃からなるＡＣプラグを有する請求項１に記載の電気器具用防水ケース。
【請求項１３】
請求項１２に記載の電気器具用防水ケースと、
前記機能部材としての電源基板と、
からなり、
前記電源基板の交流入力端子と前記ＡＣプラグの一対の栓刃とが電気的に接続され、
前記電源基板の直流出力端子と前記ケーブルの一端とが電気的に接続され、
前記ケーブルの他端は外部機器に接続されて前記電源基板が発生する直流電力を前記外部機器に供給することを特徴とするＡＣアダプタ。
【請求項１４】
第１のケース体に形成された第１の内部空間に機能部材を取り付ける工程と、
外周部上に第１及び第２のブッシュ部材が互いに所定間隔離隔して外周部と隙間なく一体に配置されたケーブルの一端を前記機能部材に接続する工程と、
前記第１のケース体に形成された第２の内部空間と前記第１の内部空間とを連絡する第１の開口と、前記第２の内部空間と外部空間とを連絡する第２の開口とを経て前記ケーブルを第１の内部空間から外部空間へ挿通させるとともに、前記ケーブルの外周部と一体化した第１及び第２のブッシュ部材を夫々前記第１及び第２の開口を塞ぐように前記第２の内部空間内に配置する工程と、
第２の内部空間を充填材で充填する工程と、
前記第１のケース体と第２のケース体とを組み合わせて接合し一体化する工程
からなる電気器具用防水ケースの組み立て方法。
【発明の詳細な説明】
【技術分野】
【０００１】
本発明は、電気器具用防水ケースに関連し、特にケーブル引き出し部を有する電源アダプタ等に適した防水ケースに関する。
【背景技術】
【０００２】
電気器具用ケースには、電圧出力用のケーブル又はコード（以下、「ケーブル」という）を備えているものがある。そのようなケースを使用した電気器具の一例にＡＣアダプタがある。ＡＣアダプタは商用電源である交流電力を直流電力に変換して、直流電力を電気機器に供給する電気器具である。ＡＣアダプタのケースの内部空間には、交流電力を所定の電圧の直流電流に変換するための電源基板が設けられている。またケースの側壁には１対の栓刃がケースを貫通して設けられ、電源プラグが構成されている。ケースの内部空間に突出した栓刃の一端は電源基板と電気的に接続されており、ケースの外側へ突出した栓刃の他端をコンセントに差し込むことにより、商用の交流が電源基板に供給される。【０００３】
一方、電源基板の直流出力端子には電源基板が発生する直流電力を電気機器に供給するためのケーブルが接続されている。ケースの別の側壁には、ケーブルを通すための挿通穴が開けられており、ケーブルは、その外周上に一体的に設けられたブッシュを介して挿通穴に通される。このような構成によって、挿通穴からケース外部へ延びるケーブルが根元部分で屈曲することによる断線などが防止される。また、ケースの内部空間には電源基板全体を覆うように樹脂が充填され、これによって電源基板が防水されている。ここで、ケースは、通常、上側ケース部材と下側ケース部材とから構成され、これらを超音波溶着により一体化した後に、その内部空間に樹脂を充填することで、電源基板の防水が確保されるようになっている。【０００４】
従来の一般的な防水ケースは、以上のような構造となっており、ケースの防水性は保たれているが、ケーブルがケースから引き出される部分である挿通穴からの水分などの入り込みを完全には防止できないという問題がある。【０００５】
このため、本出願人による特開２００４−２６５７４８（日本国特許公開公報）は、上述したケーブル引き出し用の挿通穴での防水性を高めるために、ケースの側壁に内部空間を有する注入部を設け、この注入部を介して外部からケース内部に至る挿通穴を形成し、この挿通穴を通って外部からケース内部にかけて配置したケーブルのうち注入部を通る部分に樹脂を注入、充填して覆うことで、この部分の防水性を確保するようにした防水構造を開示している。【０００６】
ところで、上述した従来の防水構造においては、ケーブル引き出し部分に、ケーブルの折り曲げなどによる断線を防ぐためにブッシュを付設したものでは、上記の注入部に樹脂を注入、充填し、その部分の防水性を確保しても、水分などのケース内への浸入を完全に防止することができないという問題を生じている。【０００７】
これは、ブッシュはケーブルの外周部の外被と一体的に結合されるように樹脂成形されているものの、これらのケーブル外被とブッシュとは別々に成形されているため、完全な一体化は不可能であり、両部材の接合面間に隙間を生じることを避けられないことによる。そして、このような隙間を生じた場合には、このブッシュの内周部とケーブル外周部との間の隙間からケース内部への水分などの浸入を生じることがある。
【発明の開示】
【０００８】
本発明はこのような事情に鑑みてなされたものであり、防水ケースからブッシュを介してケーブルを引き出すケーブル引き出し部において、該引き出し部における防水性を大幅に向上させることができるケーブル引き出し部を有する電気器具用防水ケースを実現することを目的とする。
【０００９】
本発明の実施形態により、機能部材を収納するための第１の内部空間と、第１の内部空間に隣接する第２の内部空間と、第２の内部空間と第１の内部空間とを連絡する第１の開口と、第２の内部空間と外部空間とを連絡する第２の開口と、を有するケース本体と、第１及び第２の開口を経て第１の内部空間から外部空間へ挿通されて配置されるケーブルと、を備え、ケーブルの外周部上には、第１のブッシュ部材と第２のブッシュ部材とがケーブル露出部を挟んで互いに離隔して配置され、それぞれケーブルの外周部と隙間無く一体に形成されており、第１及び第２のブッシュ部材は第２の内部空間内にそれぞれ第１及び第２の開口を塞ぐように配置され、ケーブル露出部においてケーブルの外周部は第２の内部空間に露出され、第２の内部空間は充填材で充填されている、電気器具用防水ケースが提供される。
【００１０】
このような構成により、従来の構成は充分な防水ができなかった防水ケースからケーブルを引き出す部分についても、防水性を確保することができる。また、予め外周上にブッシュが一体に形成されたケーブルを使用するため、従来の構成に対して部品点数が少なく、組み立て作業も簡単に行うことができる。
【００１１】
第１及び第２のブッシュ部材は、それぞれフランジ部を有していてもよい。それぞれ第１及び第２の開口より大きなフランジ部を有することにより、組み立て作業中にブッシュ部材がケースに係止されるため作業し易い。また、組立て後もフランジ部が外れにくく、防水性能も劣化しにくい。
【００１２】
フランジ部は平角形であってもよい。このような構成により、フランジをケース内に組み込みやすくなる。
【００１３】
第２のブッシュ部材は、ケーブルを覆って第２の開口から外部空間へ延長するブーツ部を有していてもよい。ブーツ部を設けることによって、ケーブル引き出し部にて小さな曲げ半径で屈曲することによるケーブルの破損を防ぐことができる。
【００１４】
ケース本体は下ケース体と上ケース体とを含む一対のケース体から構成され、一対のケース体は組み立てられた状態で接合部分が溶着されることにより一体化されてもよい。
【００１５】
このような構成により、容易な組み立て作業により低コストに防水性能の高い防水ケースを作製することができる。また、ケース本体の設計・形成も容易になり、ケース本体の加工コストも下げることができる。
【００１６】
任意選択的に、第２の内部空間は上面又は下面の一方が開放された状態で一対のケース体の一方に形成され、一対のケース体の他方には第２の内部空間の開放された面を塞ぐ閉塞部が設けられていてもよい。
【００１７】
このような構成により、第２の内部空間（ボックス部）へのケーブル及びフランジ部の組み込み作業が容易になる。また、部品点数を増やすことなく第２の内部空間を密閉構造にすることができる。
【００１８】
任意選択的に、閉塞部は、第２の内部空間内に進入して第２の内部空間の有効容積を低減させる凸部を備えていてもよい。
【００１９】
このような構成にすることにより、第２の内部空間の充填に必要な充填材の使用量を抑え、材料費及び加工時間を削減することができる。また、充填材の熱膨張による歪みの発生等も低減することができ、より安定した性能の防水ケースの実現を可能にする。
【００２０】
任意選択的に、凸部は、ケーブルと干渉して、ケーブルの回転を抑制するようにしてもよい。例えば、凸部は、ケーブルを押し込むことによって、ケーブルの回転を抑制するようにしてもよい。
【００２１】
このような構成にすることにより、充填材が安定する前にケーブルが回転することにより、充填材とケーブル外被表面との間に隙間が発生して、防水性が低下するという問題を防止することができる。
【００２２】
上下ケース体のうちの一方のケース体の接合部の内側に、ケース体の側壁部内側面に僅かな間隙をおいて対向するダム用リブ部を、他方のケース体の接合方向に突設するとともに、他方のケース体側にケース体側壁部内側面とダム用リブ部との間の嵌合隙間に嵌合する嵌合片を設け、嵌合隙間にシール材を充填した状態で嵌合片を嵌合させることにより、この部分を封止してもよい。
【００２３】
このような構成により、ケース本体の接合部における防水性をより向上させることができる。
【００２４】
更にケース本体の側壁を貫通してケース本体と一体に配置された一対の栓刃からなるＡＣプラグを有してもよい。
【００２５】
このような構成により、防水性の優れたダイレクトプラグインタイプの電気器具用防水ケースを実現することができる。
【００２６】
また、本発明の実施形態により、上述の電気器具用防水ケースと、機能部材としての電源基板と、からなり、電源基板の交流入力端子とＡＣプラグの一対の栓刃とが電気的に接続され、電源基板の直流出力端子とケーブルの一端とが電気的に接続され、ケーブルの他端は外部機器に接続されて電源基板が発生する直流電力を外部機器に供給するＡＣアダプタが提供される。
【００２７】
このような構成により、防水性の優れたダイレクトプラグインタイプのＡＣアダプタを実現することができる。
【００２８】
また、本発明の実施形態により、第１及び第２のブッシュ部材が一体かつ容易に分離可能に形成されたブッシュ部材が提供される。
【００２９】
このような構成のブッシュ部材を本発明の実施形態による防水ケースに使用することにより、作製する部品点数を増やすことなく、かつ容易な組み立て作業により、防水性能の高い防水ケースを製作することが可能になる。
【００３０】
また、本発明の実施形態により、第１のケース体に形成された第１の内部空間に機能部材を取り付ける工程と、外周部上に第１及び第２のブッシュ部材が互いに所定間隔離隔して外周部と隙間なく一体に配置されたケーブルの一端を機能部材に接続する工程と、第１のケース体に形成された第２の内部空間と第１の内部空間とを連絡する第１の開口と、第２の内部空間と外部空間とを連絡する第２の開口とを経てケーブルを第１の内部空間から外部空間へ挿通させるとともに、ケーブルの外周部と一体化した第１及び第２のブッシュ部材を夫々第１及び第２の開口を塞ぐように第２の内部空間内に配置する工程と、第２の内部空間を充填材で充填する工程と、第１のケース体と第２のケース体とを組み合わせて接合し一体化する工程からなる電気器具用防水ケースの組み立て方法が提供される。
【００３１】
このような作製方法により、防水性能の優れた電気器具用防水ケースを、低コストに作製することができる。
【００３２】
このような作製方法によれば、簡単な作業により、従来の構成と比較して使用する成形部材の個数を増やすことなく、安価な部材コストで高い防水性能のケースを作製することができる。
【図面の簡単な説明】
【００３３】
【図１】本発明の実施形態による、電気器具用防水ケースを使用したＡＣ電源アダプタの概略斜視図である。
【図２】図１に示されるＡＣ電源アダプタの概略ＡＡ断面図である。
【図３】図２におけるケーブル引き出し部を拡大した図である。
【図４】本発明の実施形態による、栓刃のケース外への引き出し部の概略斜視図である。
【図５】本発明の実施形態によるブッシュの概略斜視図である。
【図６】本発明の実施形態によるケーブル外被と一体化したブッシュの概略斜視図である。
【図７】図１のＡＣ電源アダプタにおける、中間部の閉塞構造を示す概略分解斜視図である。
【図８】本発明の実施形態による、ブッシュを取り付けた下ケース体の概略斜視図である。
【図９Ａ】本発明の実施形態による、ケース接合部における防水構造を説明する概略分解斜視図である。
【図９Ｂ】本発明の実施形態による、ケース接合部における防水構造を説明する概略側断面図である。
【図９Ｃ】本発明の実施形態による、ケース接合部における別の防水構造の例を説明する概略側断面図である。
【発明を実施するための最良の形態】
【００３４】
以下、本発明の実施形態について図面を参照しながら説明する。図１は本発明の実施形態によるＡＣアダプタ１００の斜視図である。図２は図１のＡ−Ａ断面図であり、図３は図２のケーブル引き出し部４を拡大した図である。【００３５】
ＡＣアダプタ１００は、商用電源の交流電力を直流電力に変換する電気器具であり、電源基板６を内部に備えた防水ケース１と、防水ケース１の側壁から延びて電気機器（図示されず）に接続されるケーブル３とから構成される。また、防水ケース１の側壁にはコンセントに接続可能なプラグ部５が形成されており、ＡＣアダプタの本体（防水ケース１）を直接コンセントに差し込んで使用するダイレクトプラグイン方式を実現している。【００３６】
図１、２に示されるように、防水ケース１は上下一対をなすケース体（上ケース体１１及び下ケース体１２）から構成されている。この防水ケース１を構成する上下ケース体１１、１２は、耐熱性及び絶縁性を有する合成樹脂材などから成形された成形品である。【００３７】
この防水ケース１の第１の内部空間１４には、図２に示されるように、商用の交流電力を直流電力に変換するための電子部品（図示を省略する）が実装された電源基板６が、所定位置に保持されて組み込まれている。【００３８】
防水ケース１の一側壁には、プラグ部を構成する１対の栓刃５１が貫通して配置された突出部５０が形成されている。突出部５０の側壁５０ａから内側に突出する栓刃５１の一端は電源基板６の入力端子とワイヤによって電気的に接続されている。栓刃５１は電源基板６に直接半田付けされてもよい。【００３９】
また、側壁５０ａから防水ケース１の外側に突出する栓刃５１の他端は、電源基板６に商用の交流を供給するために、コンセントに差し込み可能に構成されている。【００４０】
ここで、栓刃５１は、図４に示されるように、防水ケース１を構成する下ケース体１２の側壁を貫通した状態で下ケース体１２にインサート成形されている。これによって、接合部における隙間を最小限とし、防水性を確保できるようになっている。【００４１】
さらに、図４中５１ａ、５１ｂ、５１ｃは、栓刃５１の一部に形成された係合穴または係合凹部である。これら係合穴または係合凹部５１ａ、５１ｂ、５１ｃに下ケース体１２の側壁５０ａの一部が成形時に係合することで、栓刃５１の脱落などを生じることなく、保持するようになっている。【００４２】
また、栓刃５１の周囲の側壁５０ａの内面には、栓刃５１の側壁５０ａから内側へ突出する部分を保護するガード壁５２が形成されている。そして、このガード壁５２で囲まれる領域には、適宜の充填材（図示されず）、たとえば封入樹脂材を充填することで、この部分の防水性が強化されている。これによって、ＡＣアダプタ１００の使用時の温度上昇や機器落下時の負荷などによって、栓刃５１と下ケース体１２との接合部に隙間が生じても、ケース１の防水性は維持される。【００４３】
また、本実施形態による防水ケース１には、ケース側壁１２ａの一部が外部に突出した中間部３０が形成されている。中間部３０の内部には、第２の内部空間３２を有するボックス部３５及びボックス部を囲む第３の内部空間３６が形成されている。第２の内部空間３２は第１の挿通穴１５を介して第１の内部空間１４と連絡しており、第３の内部空間３６は第２の挿通穴３４を介して第２の内部空間３２と連絡するとともに第３の挿通穴３８を介して外部空間と連絡している。【００４４】
次にケーブル引き出し部４の構造について説明する。図１〜３に示されるように、ケーブル引き出し部４は防水ケース１の一側面から突出した中間部３０、ケーブル３、及びケーブル３の外周に一体に取り付けられたブッシュ２から構成される。ケーブル３は、ブッシュ２を介して防水ケース１に設けられた第１〜第３の挿通穴１５、３４、３８を通ってケース外部へ引き出されている。【００４５】
ここで、ケーブル引き出し部４を構成するブッシュ２の構造について、図５及び６を参照して説明する。ブッシュ２は、互いに離隔した２つのブッシュ部材、すなわち第１ブッシュ部材２ａと第２ブッシュ部材２ｂから構成される。図５は、本発明の実施形態による第１及び第２のブッシュ部材２ａ、２ｂの構造を示す図である。図５では、説明のために、ケーブルを取り除き、更に両ブッシュ部材の間隔を離した状態が示されている。なお、実際には、各ブッシュ部材は射出成形によりケーブル外被と一体に形成されるため、このようにケーブルと分離することはできない。第１ブッシュ部材２ａは第１フランジ部２３及びシール部２５が一体に形成されたものであり、第２ブッシュ部材２ｂはブーツ部２１、フック部２２及び第２フランジ部２４が一体に成形されたものである。図６は、両ブッシュ部材がケーブル外被上にケーブル外被と一体に成形された状態を示している。【００４６】
また、ブーツ部２１は、長さ方向に一様に変化する外径を有しており、防水ケース１の外部に配置されて、ケーブル３が引き出し部４の根元で許容曲げ径以下で屈曲しないようにケーブルを保護する部分である。フック部２２は、中間部３０の内部に設けられた第３の内部空間内に配置される矩形の部分である。フック部２２は、外部空間と第３の内部空間３６内とを連絡する壁部３０ａに設けられた第３の貫通孔の開口幅よりも広い幅を有しているため、ケーブル３に張力が加えられても防水ケース１から抜けないように中間部３０の壁部３０ａに掛止される。また、第１及び第２フランジ部２３、２４は、中間部３０の内部に設けられたボックス部３５内の第２の内部空間３２内に配置され、ケーブルを防水ケース１の内部に通すための挿通穴１５及び３４をそれぞれ塞いでケーブル引き出し部４の防水を確保する機能を果たす。また、シール部２５は、防水ケース１の第１の内部空間１４内に配置され、上ケース体１１と下ケース体１２との嵌合部のシール材として機能する。【００４７】
また、本発明の実施形態によるブッシュ２においては、後述するケーブル引き出し部の防水構造を実現するために、第１フランジ部２３と第２フランジ部２４との間にケーブル３の外被がブッシュ２によって覆われずに周辺空間に露出するケーブル露出部が形成されている。。【００４８】
ケーブル３は防水ケース１の下ケース体上に配置される。ケーブル３は、中間部３０の第２の内部空間３２内に第１及び第２のフランジ部２３、２４が、第３の内部空間３６内にフック部がそれぞれ配置されるように挿通穴１５、３４及び３８を挿通して配置される。次いで、第１及び第２フランジ部２３、２４間で露出したケーブル３を直接被覆するようにボックス部３５の第２の内部空間３２に封入樹脂材４０が充填される。これにより、ブッシュ２の内周とケーブル３の外周との間に隙間が生じて、そこを通ってボックス部内まで水が浸入しても、第１フランジ部２３と第２フランジ部２４との間のケーブル３の露出部の周囲は封入樹脂材４０で隙間なく充填されているため、この部分で水の浸入が遮断され、防水ケース１の防水性が確保される。なお、充填材４０としては、エポキシ樹脂やウレタン樹脂等の樹脂材が適している。【００４９】
上記の構成により、本発明の実施形態によれば、防水ケース１からケーブル３を引き出すにあたって、確実な防水性を確保することができる。しかも、機能の異なる複数の部分を、組立て時の配置関係を与えつつ、ケーブル外被上にケーブル外被と一体に作製することにより、部品成形のコスト及び組み立て作業のコストを大幅に削減することができる。【００５０】
更に、本実施形態では、図７に示されるように、上ケース体１１の一部には、中間部３０の上側の開口部を閉塞する閉塞部３１が一体に形成されている。閉塞部３１の下側には、上下ケース体１１、１２を組み合わせたときにボックス部３５の第２の内部空間の上部の領域内に侵入して、ボックス部３５と閉塞部３１とで囲まれた空間の有効容積（すなわち封入樹脂４０を充填可能な容積）を減少させるように構成された凸部３１ａが形成されている。従って、必要最小限の充填材４０の量でボックス部３５内を封入することができ、しかも確実な防水性を確保できるのである。【００５１】
また、この実施形態では、ケーブル３のブッシュ２において、第１、第２のフランジ部２３、２４は略角形フランジ形状に形成され、これらのフランジ形状でブッシュ２を支持するリブ状部分を挟み込むように構成されている。第１、第２のフランジ部２３、２４の間に封入樹脂材４０を充填することで、確実な防水性を得られるようにしている。【００５２】
なお、上記のケーブル３を、充填材４０の硬化前に回転させると、充填剤中に間隙が生じて防水性が損なわれることがある。このため、上記の閉塞部３１にケーブル３の回転を防止する機能を持たせるようにするとよい。この実施形態では、上述のようにケーブル外被と一体化した角形フランジをボックス部３５のリブ状部分で挟み込むことによって、ケーブル回転防止機能が実現されている。ケーブルの回転を防止する機能は、これ以外にも、例えば、閉塞部３１の下側に形成された凸部がケーブルと直接干渉して回転を抑制するような構造によっても実現される。例えば、上下ケース体１１、１２を組み合わせたときに、閉塞部３１の下面がケーブル３の最上部よりやや低く位置し、閉塞部３１の下面によってケーブル３を下方に少し押し込むようにしてもよい。ケーブル３が楕円状であれば、押し込まなくても、閉塞部３１の下面がケーブル３の短軸方向の頂点と接触するようにすれば回転を抑制できる。また、閉塞部３１の下面にローレット加工等により凹凸を付けると、より効果的にケーブル３の回転を抑制できる。【００５３】
また、上述した中間部３５の開口部を構成するリブ状部分の上端には、図７中一点鎖線で示すように、超音波溶着用のリブが設けられている。この超音波溶着用リブは下ケース体と閉塞部３１側との確実な溶着状態を得るうえで効果を発揮し得るものであるが、それに加えて、ボックス部３５内に充填材４０を充填した際の硬化前の流れ出しを防ぐダム部としても機能する。【００５４】
また、この実施形態では、上下一対のケース体１１、１２を所要の状態で組み合わせ、その接合部分を超音波溶接等で溶着することで、防水ケース１を構成するようにしている。ここで、上下ケース体１１、１２の接合部は、図９Ａ〜９Ｂに示されるように、凹部８１と凸部８２とを組み合わせるとともに、この部分を超音波等で溶着させることで、確実な防水性を確保した状態で一体的に接合されている。【００５５】
さらに、本実施形態では、図９Ａ、９Ｂに示されるように、上下ケース体１１、１２の接合部の内側に、ケース体１２の側壁１２ａの内側面と僅かな間隙をおいて対向するダム用リブ部８３が下ケース体１２の内底面から図中上方に突設されている。また、上ケース体１１側には下ケース体１２の側壁部１２ａの内側面とダム用リブ部８３との間の嵌合隙間８４に嵌合する嵌合片８５が設けられている。ところで、ループ状に形成された第１ブッシュ部材２ａのシール部２５は、その下面の幅方向中央にループに沿って延びる矩形の溝が形成されており、図９Ｂに示されるようにＵ字状の断面を有している。シール部２５の溝の幅及びループ形状は、ダム用リブ部８３の上端の幅及びループ状の延長形状に適合している。すなわち、図９Ｂに示されるように、シール部２５の溝はダム用リブ部８３の上端に隙間なく嵌め込めるように形成されている。シール部２５を下ケース体１２のダム用リブ部８３の上端に嵌めた状態（図８に示される）で、上ケース体１１の嵌合片８５を嵌合隙間８４に嵌合させると、シール部２５は嵌合片８５とも側面全周で隙間なく密着する。これによって、上下ケース体１１、１２間の防水性が確実にされ、従ってケーブル３を引き出す防水ケース１の確実な防水性が確保される。また、第１ブッシュ部材２ａにシール部２５を設けずに、図９Ｃに示すように適切なシール材８６によって嵌合隙間８４を封止してもよい。また、シール部２５とシール材８６とを併用して、更に防水性を高めても良い。このシール材８６としても、エポキシ樹脂やウレタン樹脂を用いるとよい。【００５６】
上述した本実施形態のＡＣアダプタ１００は、次のようにして作られる。まず、電源基板６が防水ケース１の下ケース体１２に取り付けられる。次に、ブッシュ２が外被上に一体に成形されたケーブル３が中間部３０に開けられた挿通穴１５、３４及び３８に挿通され、第２ブッシュ部材２ｂのフック部が中間部３０の第３の内部空間内に、第１ブッシュ部材２ａの第１フランジ部２３及び第２ブッシュ部材２ｂの第２フランジ部２４がそれぞれ第１及び第２の挿通穴１５、３４を塞ぐようにボックス部３５の第２の内部空間内の所定位置に配置される。なお、ブッシュ２を構成する第１ブッシュ部材２ａ及び第２ブッシュ部材２ｂは、第１及び第２のフランジ部２３、２４がケーブル３の外周上の所定の箇所に所定の間隔を離して配置されるように、射出成形によってケーブル３の外被上にケーブル外被と一体化するように成形される。【００５７】
次いで、シール材が必要に応じて嵌合隙間に充填された後、第１ブッシュ部材２ａのシール部２５が下ケース体１２のダム用リブ部８３の上端に嵌め込まれる。次いで、挿通穴１５を通って内部空間へ導入されたケーブル３の一端が電源基板６の交流入力端子に接続される。また、下ケース体１２にインサート成形された栓刃５１と電源基板６の直流出力端子とが接続される。【００５８】
各接続が終了した後、開放されている上部よりボックス部３５の第２の内部空間に所定量の充填材４０が注入される。充填材４０としては、エポキシ樹脂やウレタン樹脂が好適である。次いで、上ケース１１が下ケース体１２に被せられ、超音波溶着などによって、上ケース体１１と下ケース体１２が一体化される。【００５９】
なお、本発明は上述した実施の形態で説明した構造には限定されず、ケーブル引き出し部を構成する各部の形状、構造等を適宜変形、変更し得ることはいうまでもない。たとえば上述した実施形態では、中間部３０の開口部を閉塞する閉塞部３１を上ケース体１１に設けているが、本発明の実施形態はこれに限定されず、ボックス部３５内部に充填材４０を充填するだけの構成であってもよい。【００６０】
また、上述した実施形態では、本発明をＡＣ電源アダプタに適用した場合を説明したが、本発明の実施形態はこれに限定されず、適宜の電気、電子部品等の機能部材が内蔵され、ケーブルを外部に引き出すことが必要となる機器、装置における防水ケースであれば、適用して効果を発揮し得るものである。また、ケーブルは電力ケーブルに限らず、通信用電気ケーブルや光ケーブルであっても良い。また、プラグの栓刃の形状及び数も、上述の実施形態に示すような１対の平板に限らず、３個以上でも、又は丸棒状等の別の形状の栓刃であってもよい。
【図１】
2007116791.tif 000003
【図２】
2007116791.tif 000004
【図３】
2007116791.tif 000005
【図４】
2007116791.tif 000006
【図５】
2007116791.tif 000007
【図６】
2007116791.tif 000008
【図７】
2007116791.tif 000009
【図８】
2007116791.tif 000010
【図９Ａ】
2007116791.tif 000011
【図９Ｂ】
2007116791.tif 000012
【図９Ｃ】
2007116791.tif 000013
【手続補正書】
【提出日】平成20年10月16日(2008.10.16)
【手続補正１】
【補正対象書類名】特許請求の範囲
【補正対象項目名】請求項３
【補正方法】変更
【補正の内容】
【請求項３】
前記フランジ部は平角形であることを特徴とする請求項２に記載の電気器具用防水ケース。
【国際調査報告】
2007116791.tif 000014
2007116791.tif 000015
2007116791.tif 000016
2007116791.tif 000017